(57)【要約】【課題】臭気等の逆流、虫等の逆流、小動物の移動も防止され、トラップ性能を向上すること。【解決手段】本体部２０内に排水導入部１５の端部が配置され、可動弁３０の弁体３２が排水導入部１５の端部に当接または押圧することにより、排水導入部１５に排水がないとき、排水導入部１５の略円形の端部に可動弁３０の弁体３２の略球面が当接または押圧されているから、臭気等の逆流が防止され、虫等の逆流も、小動物の移動も防止される。また、排水導入部１５から排水が流れてくると、その流水圧で排水導入部１５に当接または押圧されている可動弁３０の弁体３２の略球面が離れ、排水が排水導入部１５から本体部２０内に入り、下部の排水口２１から排水が排出される。【選択図】      図１
2004250911.tif 000002
【特許請求の範囲】
【請求項１】
排水を略水平方向の流れにする端部を略円形とした排水導入部と、
前記排水導入部の略円形の端部を収容するように接続され、下部に排水口を設けられた本体部と、
前記本体部の上部から吊り下げられ、下部に重心位置を持ち、前記排水導入部の略円形の端部に対向する面を凸状の略球面とし、前記重心位置により、前記略球面が前記排水導入部の略円形の端部に当接または押圧するように配設した可動弁と
を具備することを特徴とする排水トラップ。
【請求項２】
前記可動弁の略球面が前記排水導入部の略円形の端部を押圧する押圧力は、前記本体部側及び／または前記可動弁側に配設した永久磁石によって得ることを特徴とする請求項１に記載の排水トラップ。
【請求項３】
前記可動弁の略球面が前記排水導入部の略円形の端部を押圧する押圧力は、弾性体によって得ることを特徴とする請求項１に記載の排水トラップ。
【請求項４】
前記可動弁の略球面の前記排水導入部の略円形の端部には、弾性材を配設したことを特徴とする請求項１乃至請求項３の何れか１つに記載の排水トラップ。
【請求項５】
前記本体部は、上部を開閉自在としたことを特徴とする請求項１乃至請求項４の何れか１つに記載の排水トラップ。
【請求項６】
前記本体部は、透明体としたことを特徴とする請求項１乃至請求項５の何れか１つに記載の排水トラップ。
【発明の詳細な説明】
【０００１】
【発明の属する技術分野】
本発明は、建物の流し、洗面器、浴室及び大小便器等の排水孔に取付けられて排水管や下水道からの有害なガス、臭気及びゴキブリ等の虫、ねずみ、なめくじ等の小動物が室内に逆流するのを防止する排水トラップに関するもので、特に、悪臭の逆戻りを防止し、排水が良好に行われる排水トラップに関するものである。
【０００２】
【従来の技術】
【特許文献１】実開平６−８４６８号公報
【特許文献２】特開平５−１０１７３２号公報
上記公知文献２に掲載の排水トラップは、配管内に所定の周間隙を有して挿入されると共に筒壁に排水用透孔を穿設した有底の外筒部材と、この外筒部材内に所定の周間隙を有すると共に着脱自在で、かつ、下端開口部を前記透孔下方に位置させて嵌合した上下両端開放の内筒部材と、前記外筒部材内に溜められた水中を上下動して前記内筒部材の下端開口部を開閉し得るフロート弁体と、これら内筒部材及び外筒部材を前記配管の排水口に取り付けるための取付手段とを備えたものである。
【０００３】
前記構成によれば、内筒部材と外筒部材とに貯留された排水によりガス，臭気等の逆流が防止されるとともに、フロート弁体の閉弁によりガス，臭気等はもとより虫等の逆流も防止され、トラップ性能が向上される。また、フロート弁体は常に水中にあるため、開弁時における浮力変化が少なく、弁の開閉作動が安定して信頼性が高められる。
【０００４】
公知文献１についても、ほぼ同様である。
【０００５】
【発明が解決しようとする課題】
しかし、上記公知文献２に掲載の排水トラップは、フロート弁体は常に水中にあって、その浮力を使用するものであるから、外筒部材に貯留された排水が必要不可欠である。したがって、フロート弁体は常に外筒部材に貯留された排水を必要とし、その貯留された排水から発生する悪臭には無防備であった。
【０００６】
特に、貯留された排水は、数時間から数十時間を経ると臭気が発生し、トラップ性能が機能しなかった。
【０００７】
そこで、本発明は、かかる事実に鑑みなされたものであり、臭気等の逆流、虫等の逆流、小動物の移動も防止され、トラップ性能を向上した排水トラップを提供することを課題としている。
【０００８】
【課題を解決するための手段】
請求項１の排水トラップによれば、排水を略水平方向の流れにする端部を略円形とした排水導入部と、前記排水導入部の略円形の端部を収容するように接続され、下部に排水口を設けられた本体部と、前記本体部の上部から吊り下げられ、下部に重心位置を持ち、前記排水導入部の略円形の端部に対向する面を凸状の略球面とし、前記重心位置により、前記略球面が前記排水導入部の略円形の端部に当接または押圧するように配設した可動弁とを具備するものである。
【０００９】
したがって、本体部内に排水導入部の略円形の端部が配置され、可動弁の略球面が排水導入部の略円形の端部に当接または押圧することにより、排水がないときには、排水導入部の略円形の端部に可動弁の略球面が当接または押圧されているから、臭気等の逆流が防止され、虫等の逆流も、小動物の移動も防止され、トラップ性能が向上される。また、排水導入部から排水が流れると、その流水圧で排水導入部に当接または押圧されている可動弁の略球面が離れ、排水が排水導入部から本体部内に入り、該本体部の下部から排水が排出される。
【００１０】
ここで、排水導入部は、排水を略水平方向の流れにする略円形の端部を有しておればよく、全体を略水平またはエルボ、傾斜して設置した管路としたものであればよい。また、本体部は、排水導入部の略円形の端部を収容する構造で、かつ、下部に排水口を接続された構成であり、前記略球面が前記排水導入部の略円形の端部に当接または押圧するように可動弁が配設できればよい。そして、前記可動弁は、本体部の上部から吊り下げられ、下部に重心位置を持ち、前記重心位置によって略球面が排水導入部の略円形の端部に当接または押圧するように配設されておればよい。
【００１１】
請求項２の排水トラップの前記可動弁の略球面が前記排水導入部の略円形の端部を押圧する押圧力は、前記本体部側及び／または前記可動弁側に配設した永久磁石によって得るものであるから、前記本体部側と前記可動弁側は互いに吸引し、所定の押圧力を得ることができる。なお、ここで、配設する永久磁石は、前記本体部側と前記可動弁側の両者とすることができる。また、前記本体部側または前記可動弁側の片側とすることができる。
【００１２】
請求項３の排水トラップの前記可動弁の略球面が前記排水導入部の略円形の端部を押圧する押圧力は、前記可動弁に弾性力を付与する弾性体としたものであるから、可動弁の略球面を排水導入部の略円形の端部を押圧することができる。
【００１３】
請求項４の排水トラップの前記可動弁の略球面の前記排水導入部の略円形の端部には、弾性材を配設したものであるから、所定の可動弁の略球面が排水導入部の略円形の端部を押圧する押圧力によって、弾性変形し、両者の密着性をよくすることができる。
【００１４】
請求項５の排水トラップの前記本体部は、上部を開閉自在としたものであるから、本体部の内部のメンテナンス及び清掃が容易である。
【００１５】
請求項６の排水トラップの前記本体部は、透明体としたものであるから、メンテナンスに好適である。
【００１６】
【発明の実施の形態】
以下、本発明の実施の形態を実施例に基づいて説明する。
【００１７】
図１は本発明の実施の形態排水トラップの全体斜視図であり、図２は本発明の実施の形態排水トラップの封止動作状態を説明する説明図、図３は本発明の実施の形態排水トラップの開放動作状態を説明する説明図である。図４は本発明の実施の形態排水トラップの可動弁の重心位置について説明する説明図である。
【００１８】
図において、本実施の形態の排水トラップは、洗面器または手洗器の下部に略垂直に接続される接続部１０で、ロックナット１１で漏水のないように締め付けられる。エルボ部１２は接続部１０で略垂直に流れていた排水を、略水平方向の流れにするもので、その端部を略円形としたものである。エルボ部１２の下端は本体部２０の中に挿入され、両者は一体に接合されている。この接続部１０とエルボ部１２は、本実施の形態の排水を略水平方向の流れにする端部を略円形とした排水導入部１５を構成している。なお、本実施の形態の接続部１０とエルボ部１２からなる排水導入部１５は、一体で形成することができる。
【００１９】
この排水導入部１５のエルボ部１２の本体部２０側の端部は、略円形の垂直面を形成していて、そこには、弾性リング１３が配設されている。この弾性リング１３はゴム材料またはエラストマーからなり、長い年月で劣化しない材料となっている。
【００２０】
本体部２０は、全体が透明の略円筒状でなり、その下部にはロート状の排水口２１が形成されており、この排水口２１から排水管路に接続される。本実施の形態の本体部２０は、排水導入部１５の略円形の端部を収容するように接続され、下部に排水口２１を形成される構成を有するものである。勿論、排水口２１にはエルボを接続してもよい。
【００２１】
本実施の形態の本体部２０の上端の蓋２２は、ロック機構によって開閉自在となっている。即ち、指定された位置から±３０度回動することにより、開放されたり、閉鎖されたりする。
【００２２】
蓋２２の下部には、蓋２２に堅固に固着された支点部２６を有しており、水平方向から軸が配設されている。当該軸に上端を軸支し、下端に排水導入部１５の略円形の端部に対向する面を凸状の略球面に形成してなる弁体３２を取付けたフレーム３１を有している。このフレーム３１は略クランク状に折曲され、弁体３２の荷重と共にフレーム３１と弁体３２とからなる可動弁３０の重心位置が、支点部２６の垂下位置よりも排水導入部１５の略円形の端部側に弁体３２を押しやるような位置に重心を設定すべく、弁体３２の排水導入部１５の反対側の面には錘２４が配設されている。
【００２３】
即ち、本実施の形態の可動弁３０は、本体部２０の上部の蓋２２の支点部２６から吊り下げられ、下部に重心位置を持ち、排水導入部１５の略円形の端部に対向する面を凸状の略球面とした弁体３２で、その重心位置により、略球面が排水導入部１５の略円形の端部に当接または押圧するように配設したものであり、この重心位置によって、排水導入部１５の略円形の端部に対向する面を体３２で封止することができる。
【００２４】
そして、本体部２０の内面には、永久磁石４０が配設されていて、略クランク状に折曲されたフレーム３１の面に対向して接合により配設されている。また、略クランク状に折曲されたフレーム３１の対向面にも質量を増し、吸引力を強くするための鉄片４１が接合されている。本実施の形態においては、本体部２０側と可動弁３０側は互いに吸引し、所定の押圧力を得ることができる。なお、ここで、配設する永久磁石４０は、本体部２０側と可動弁３０側の両者とすることができる。また、本体部２０側または可動弁３０側の片側とすることもできる。
【００２５】
このように、本実施の形態の排水トラップは、本体部２０内に排水導入部１５の略円形の端部が配置され、可動弁３０の略球面を呈する弁体３２が排水導入部１５の略円形の端部に当接または押圧することにより、排水導入部１５側に排水がないときには、排水導入部１５の略円形の端部に可動弁３０の略球面を呈する弁体３２が当接または押圧されているから、臭気等の逆流が防止され、ゴキブリ等の虫の逆流も、ねずみ、なめくじ等の小動物の移動も防止される。また、排水導入部１５から排水が流れると、その流水圧で排水導入部１５に当接または押圧されている可動弁の略球面を呈する弁体３２が離れ、排水が排水導入部１５から本体部２０内に入り、該本体部２０の下部から排出される。
【００２６】
ところで、排水導入部１５は、排水を略水平方向の流れにする略円形の端部を有しておればよく、全体を略水平またはエルボ、傾斜して設置した管路としたものであればよい。例えば、排水導入部１５は、本体部２０の外周に二重に形成した管路とそこから本体部２０に挿入する略円形の端部を収容する構造することもできる。
【００２７】
また、本体部２０は、排水導入部１５の略円形の端部を収容する構造で、かつ、下部に排水口２１を設けたものであり、略球面が排水導入部１５の略円形の端部に当接または押圧するように可動弁３０の弁体３２が配設できればよい。したがって、図示したように、円筒を立てた構成としてもよいし、９０度転倒した構成としてもよい。勿論、球体としてもよい。何れにせよ、本実施の形態の本体部２０は、排水導入部１５の略円形の端部を収容するように接続され、下部に排水口２１を設けられたものであればよい。
【００２８】
そして、本実施の形態の可動弁３０は、その弁体３２の略球面が排水導入部１５の略円形の端部に当接または押圧するように配設されたものであるが、弁体３２の略球面は、排水導入部１５の略円形の端部に面接触し、かつ、その接触面が略球面となっているので、弁体３２が封止状態にする場合の位置ずれが生じない。また、弁体３２が開放状態になったとき、略球面となっている弁体３２に排水が当接すると、排水が下方または横方向に誘導され、本体部２０のない壁面から下部の排水口２１に導かれるから、滑らかに、本体部２０から排水口２１に対して排水を行うことができる。
【００２９】
本実施の形態の可動弁３０は、本体部２０の蓋２２またはその周辺を意味する上部から吊り下げられ、下部に重心位置を持ち、その重心位置によって弁体３２の略球面が排水導入部２１の略円形の端部に当接または押圧するように配設されたものである。
【００３０】
ところで、本実施の形態の可動弁３０は、永久磁石４０と鉄片４１によって、弁体３２の略球面が排水導入部２１の略円形の端部に当接または押圧する力を確保するものであるが、本発明を実施する場合には、永久磁石４０と鉄片４１をフレーム３１と本体部２０の蓋２２の支点部２６との配設したスプリング等の弾性体によって押圧力を得ることができる。しかし、永久磁石４０と鉄片４１のように強磁性体を使用するものでは、弁体３２の略球面が排水導入部２１の略円形の端部から離れた場合に、その距離の自乗に反比例する力となるから、動作的には、強磁性体の使用が好適である。
【００３１】
そして、本実施の形態の排水トラップは、可動弁３０の略球面の排水導入部１５の略円形の端部に弾性材１３を配設したものであるから、所定の可動弁３０の略球面が排水導入部１５の略円形の端部を押圧する押圧力によって、その弾性材１３が弾性変形し、両者の密着性をよりよくすることができる。
【００３２】
更に、本実施の形態の排水トラップの本体部２０は、上部を開閉自在としたものであるから、喩え、故障が生じたとしても、本体部２０の内部のメンテナンス及び清掃が容易である。
【００３３】
加えて、排水トラップの本体部２０は、透明体としたものであるから、常に外部から監視することができ、メンテナンスに好適である。
【００３４】
このように、請求項１の排水トラップは、洗面器、手洗器等の水を使用する機器からの排水を略水平方向の流れにする端部を略円形とした接続部１０とエルボ部１２からなる排水導入部１５と、排水導入部１５の略円形の端部を収容するように接続され、下部に排水口２１を設けられた本体部２０と、本体部２０の上部から吊り下げられ、下部に重心位置を持ち、排水導入部１５の略円形の端部に対向する面を凸状の略球面とし、前記重心位置により、略球面が排水導入部１５の弁体３２の略円形の端部に当接または押圧するように配設した可動弁３０を具備するものである。
【００３５】
したがって、本体部２０内に排水導入部１５の略円形の端部が配置され、可動弁３０の弁体３２の略球面が排水導入部１５の略円形の端部に当接または押圧することにより、排水導入部１５に排水がないときには、排水導入部１５の略円形の端部に可動弁３０の弁体３２の略球面が当接または押圧されているから、臭気等の逆流が防止され、虫等の逆流も、小動物の移動も防止される。また、排水導入部１５から排水が流れてくると、その流水圧で排水導入部１５に当接または押圧されている可動弁３０の弁体３２の略球面が離れ、排水が排水導入部１５から本体部２０内に入り、その本体部２０の下部の排水口２１から排水が排出される。このときの可動弁３０の弁体３２の略球面が排水導入部１５の略円形の端部に当接または押圧する押圧力の強さは、本体部２０の上部から吊り下げられた下部に重心位置を持ち、排水導入部１５の略円形の端部に対向する面を凸状の略球面とした可動弁３０の重心位置により、略球面が排水導入部１５の弁体３２の略円形の端部に当接または押圧する力を調節できる。勿論、永久磁石４０と鉄片４１等の強磁性体の使用によっても、前記押圧力を強くすることができる。
【００３６】
また、可動弁３０の弁体３２の略球面が排水導入部１５の略円形の端部を押圧する押圧力は、本体部２０側及び／または可動弁３０側に配設した永久磁石４０によって得るものでは、本体部２０側と可動弁３０側は互いに吸引し、所定の押圧力を得ることができ、排水トラップの設置に応じた構成とすることができる。なお、ここで、配設する永久磁石４０は、本体部２０側と可動弁３０側の両者とすることができ、また、本体部２０側または可動弁３０側の片側とすることができる。何れにせよ、任意の前記押圧力を得ることができ、しかも、可動弁３０の弁体３２の略球面が排水導入部１５の略円形の端部を押圧する位置から、永久磁石４０の配設位置が本体部２０の蓋２２の支点部２６側にずれているから、「てこの原理」によって微妙な押圧力の調整が可能となる。
【００３７】
また、この可動弁３０の略球面が排水導入部１５の略円形の端部を押圧する押圧力は、可動弁３０に弾性力を付与する弾性体とすることもでき、可動弁３０の弁体３２の略球面が排水導入部１５の略円形の端部を押圧する力を任意に設定することができる。
【００３８】
このように、永久磁石４０や弾性体を用いて可動弁３０の弁体３２の略球面が排水導入部１５の略円形の端部を押圧する力を任意に設定する場合には、可動弁２０の弁体３２の略球面の排水導入部１５の略円形の端部に弾性材１３を配設すると、弾性材１３が弾性変形し、密閉性をより向上させることができる。特に、弾性材１３を用いると、排水導入部１５の水が可動弁２０の弁体３２の略球面とをより密着性をよくすることができる。
【００３９】
なお、可動弁２０の弁体３２を排水導入部１５の略円形の端部の弾性材１３に当接または押圧する形態として、弁体３２を略円形とすることもできるが、この場合には、若干、略球面の弁体３２よりも押圧力を大きくする必要がある。しかし、この場合においても、弾性材１３を用いると、排水導入部１５の水が可動弁２０の弁体３２との密着性をよくすることができる。特に、排水の少しの水滴でも、両者間に存在すると、密着性をより良くすることができる。しかし、弁体３２を平面形状にすると、衝突音等の排水の流れが気になることがある。
【００４０】
更にまた、排水トラップの本体部２０は、上部を蓋２２として開閉自在としたものであるから、本体部２０内のメンテナンス及び清掃が容易となる。特に、本実施の形態は蓋２２を開閉自在としたが、本実施の形態の可動弁３０の弁体３２の略球面が排水導入部１５の略円形の端部を押圧するものでは、可動弁３０の弁体３２が略球面に形成されているので、髪の毛、繊維質のものが排水に混入していても、それらが可動弁３０の弁体３２に引っかかることがない。
【００４１】
加えて、本実施の形態の排水トラップの本体部２０は、透明体としたものであるから、内部動作状態が確認でき、メンテナンスに好適である。
【００４２】
また、本体部２０の上部から吊り下げられた可動弁３０は、支点部２６に軸支されているが、本発明を実施する場合には、水平方向に回動しない支持であればよい。
【００４３】
【発明の効果】
以上のように、請求項１の排水トラップは、排水を略水平方向の流れにする端部を略円形とした排水導入部と、前記排水導入部の略円形の端部を収容するように接続され、下部に排水口を設けられた本体部と、前記本体部の上部から吊り下げられ、下部に重心位置を持ち、前記排水導入部の略円形の端部に対向する面を凸状の略球面とし、前記重心位置により、前記略球面が前記排水導入部の略円形の端部に当接または押圧するように配設した可動弁とを具備するものである。
【００４４】
したがって、本体部内に排水導入部の略円形の端部が配置され、可動弁の略球面が排水導入部の略円形の端部に当接または押圧することにより、排水がないとき、排水導入部の略円形の端部に可動弁の略球面が当接または押圧されているから、臭気等の逆流が防止され、虫等の逆流も、小動物の移動も防止される。また、排水導入部から排水が流れると、その流水圧で排水導入部に当接または押圧されている可動弁の略球面が離れ、排水が排水導入部から本体部内に入り、該本体部の下部から排水が排出される。
【００４５】
したがって、臭気等の逆流、虫等の逆流、小動物の移動も防止され、トラップ性能を向上することができる。
【００４６】
請求項２の排水トラップの前記可動弁の略球面が前記排水導入部の略円形の端部を押圧する押圧力は、前記本体部側及び／または前記可動弁側に配設した永久磁石によって得るものであるから、請求項１の効果に加えて、前記本体部側と前記可動弁側は互いに吸引し、所定の押圧力を得ることができる。
【００４７】
請求項３の排水トラップの前記可動弁の略球面が前記排水導入部の略円形の端部を押圧する押圧力は、請求項１の効果に加えて、前記可動弁に弾性力を付与する弾性体としたものであるから、可動弁の略球面を排水導入部の略円形の端部を押圧することができる。
【００４８】
請求項４の排水トラップの前記可動弁の略球面の前記排水導入部の略円形の端部には、弾性体を配設したものであるから、請求項１乃至請求項３の何れか１つに記載の効果に加えて、所定の可動弁の略球面が排水導入部の略円形の端部を押圧する押圧力によって、弾性変形し、両者の密着性をよくすることができる。
【００４９】
請求項５の排水トラップの前記本体部は、上部を開閉自在としたものであるから、請求項１乃至請求項４の何れか１つに記載の効果に加えて、本体内部のメンテナンス及び清掃が容易である。
【００５０】
請求項６の排水トラップの前記本体部は、透明体としたものであるから、請求項１乃至請求項５の何れか１つに記載の効果に加えて、メンテナンスに好適である。
【図面の簡単な説明】
【図１】図１は本発明の実施の形態排水トラップの全体斜視図である。
【図２】図２は本発明の実施の形態排水トラップの封止動作状態を説明する説明図である。
【図３】図３は本発明の実施の形態排水トラップの開放動作状態を説明する説明図である。
【図４】図４は本発明の実施の形態排水トラップの可動弁の重心位置について説明する説明図である。
【符号の説明】
１０    接続部
１２    エルボ部
１５    排水導入部
２０    本体部
２１    排水口
３０    可動弁
３２    弁体
４０    永久磁石
【図１】
2004250911.tif 000003
【図２】
2004250911.tif 000004
【図３】
2004250911.tif 000005
【図４】
2004250911.tif 000006